【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
発射体展開システムであって、
一対のペレットと当該ペレットを連結するテザーを含む絡め取り式捕捉用発射体（ｅｎｔａｎｇｌｉｎｇ  ｐｒｏｊｅｃｔｉｌｅ）と、
一対のソケットを含む発射体ケーシングであって、各ソケットは前記ペレットの一方を受容するようにサイズ設定されているものである、前記発射体ケーシングと、
前記一対のソケットであって、互いに角度を成して配置されることで前記ペレットが前記発射体ケーシングから発射されるのに伴って互いから離れる方向に移動するものであり、前記ソケットの一方の少なくとも一部は他方の前記ソケットの一部と重なり合うものである、前記一対のソケットと、
前記発射体ケーシングを受容するランチャーと、
前記ランチャーまたは前記発射体ケーシングのうちの１つにより収容される選択的に作動可能な圧力源であって、前記発射体ケーシングから対象者に向かって前記絡め取り式捕捉用発射体を発射するように動作可能である、前記圧力源と
を有する、発射体展開システム。
【請求項２】
請求項１記載のシステムにおいて、前記圧力源は前記発射体ケーシングに収容され、前記作動装置は前記ランチャーに収容されるものである、システム。
【請求項３】
請求項１記載のシステムにおいて、前記圧力源は空砲を有するものである、システム。
【請求項４】
請求項１記載のシステムにおいて、前記圧力源は圧縮気体シリンダーを有するものである、システム。
【請求項５】
請求項１記載のシステムにおいて、前記ソケットは、互いに垂直方向にオフセットされ、互いに平行な平面上に延長するものである、システム。
【請求項６】
請求項１記載のシステムにおいて、前記ペレットは、前記ソケット内に設置された際に互いに重なり合うものである、システム。
【請求項７】
請求項１記載のシステムにおいて、前記圧力源は、単一の発射孔と流体連通しており、この単一の発射孔は各前記ソケットと流体連通しているものである、システム。
【請求項８】
発射体展開システムであって、
ランチャーと、
一対のペレットと当該ペレットを連結するテザーとを含む絡め取り式捕捉用発射体と、
前記ランチャーに結合された発射体ケーシングであって、当該発射体ケーシングは一対のソケットを含み、各ソケットは前記ペレットの一方を受容するものである、前記発射体ケーシングと、
前記ランチャーおよび前記発射体ケーシングのうちの１つにより収容される選択的に作動可能な圧力源であって、当該圧力源を作動させることにより前記発射体ケーシングから前記絡め取り式捕捉用発射体が発射されるものである、前記圧力源と
を有し、
前記ソケットは、前記ペレットが前記発射体ランチャーから発射されると、垂直方向に異なる軌道へ向かって移動するように前記発射体ケーシング内で配向されるものである、
発射体展開システム。
【請求項９】
請求項８記載のシステムにおいて、前記圧力源は空砲を有するものである、システム。
【請求項１０】
請求項８記載のシステムにおいて、前記圧力源は圧縮気体シリンダーを有するものである、システム。
【請求項１１】
請求項８記載のシステムにおいて、前記発射体ケーシングは、複数の発射体ケーシングを交換可能にするため、前記ランチャーに係合解除可能に連結されるものである、システム。
【請求項１２】
請求項８記載のシステムにおいて、前記ソケットは、異なる垂直方向の高さにおいて前記発射体ケーシング内で収容されるものである、システム。
【請求項１３】
請求項１２記載のシステムにおいて、前記ソケットは平行な平面上に配向されているものである、システム。
【請求項１４】
請求項１〜１３のいずれか１つに記載のシステムにおいて、さらに、
前記一対のペレットのうち少なくとも一方に結合された１若しくはそれ以上の係着フックを有し、この係着フックは、当該システムの対象者が着用する衣服に係着して、前記対象者の周りに前記絡め取り式捕捉用発射体を保持することを補助するように動作可能である、システム。
【請求項１５】
対象者を絡め取るための方法であって、
請求項１〜１３のいずれか１つに記載の発射体展開システムを対象者に対して方向付ける工程と、
前記選択的に作動可能な圧力源を作動させて、前記発射体ケーシングから前記絡め取り式捕捉用発射体を前記対象者に向かって発射する工程と
を有する、方法。
【手続補正２】
【補正対象書類名】明細書
【補正対象項目名】０００４
【補正方法】変更
【補正の内容】
【０００４】
少なくともこれらの理由に基づき、代替品としての射撃型の交戦装置、例えばテーザー銃（商標）が開発された。そのような電気による筋肉機能阻害（ｅｌｅｃｔｒｉｃａｌ  ｍｕｓｃｕｌａｒ  ｄｉｓｒｕｐｔｉｏｎ：ＥＭＤ）武器はこれまで一定の成功を収めているが、そのような装置が謳われているとおり安全かどうか、または多くの状況に適切なレベルの威力を有するかは継続して議論されている。他の射撃型交戦ソリューション、例えばメースまたはトウガラシスプレーは適用距離が非常に限られ、それが対象者に引き起こす痛みと当該ソリューションが警察または傍観者に及ぼすおそれのある影響とがしばしば批判の的となっている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第７，３１４，００７号明細書
（特許文献２）  米国特許第５，５６１，２６３号明細書
（特許文献３）  米国特許第５，９９６，５０４号明細書
（特許文献４）  米国特許第４，５５９，７３７号明細書
（特許文献５）  米国特許第５，３１５，９３２号明細書
（特許文献６）  米国特許第２，７９７，９２４号明細書
（特許文献７）  米国特許第４，６６４，０３４号明細書
（特許文献８）  米国特許第６，３８１，８９４号明細書
（特許文献９）  米国意匠登録第５７０，９４８号公報
（特許文献１０）  米国意匠登録第６０２，１０９号公報
（特許文献１１）  米国意匠登録第６５１，６７９号公報
（特許文献１２）  米国意匠登録第７９１，９０１号公報
（特許文献１３）  米国意匠登録第７３６，８８５号公報
（特許文献１４）  米国特許第０，０３４，６２６号明細書
（特許文献１５）  米国特許第０，０３４，６２８号明細書
（特許文献１６）  米国特許第０，０３５，７３４号明細書
（特許文献１７）  米国特許第０，０３９，２８２号明細書
（特許文献１８）  米国特許第０，２７１，８２５号明細書
（特許文献１９）  米国特許第０，３４７，９８８号明細書
（特許文献２０）  米国特許第１，０７０，５８２号明細書
（特許文献２１）  米国特許第１，１５１，０７０号明細書
（特許文献２２）  米国特許第１，１９８，０３５号明細書
（特許文献２３）  米国特許第１，２１１，００１号明細書
（特許文献２４）  米国特許第１，２１７，４１５号明細書
（特許文献２５）  米国特許第１，２２９，４２１号明細書
（特許文献２６）  米国特許第１，２７６，６８９号明細書
（特許文献２７）  米国特許第１，３０４，８５７号明細書
（特許文献２８）  米国特許第１，３４３，７４７号明細書
（特許文献２９）  米国特許第１，４８８，１８２号明細書
（特許文献３０）  米国特許第１，５３６，１６４号明細書
（特許文献３１）  米国特許第２，３５４，４５１号明細書
（特許文献３２）  米国特許第２，３７２，３８３号明細書
（特許文献３３）  米国特許第２，３７３，３６３号明細書
（特許文献３４）  米国特許第２，３７３，３６４号明細書
（特許文献３５）  米国特許第２，４５５，７８４号明細書
（特許文献３６）  米国特許第２，６１１，３４０号明細書
（特許文献３７）  米国特許第２，６６８，４９９号明細書
（特許文献３８）  米国特許第２，７９７，９２４号明細書
（特許文献３９）  米国特許第３，０８５，５１０号明細書
（特許文献４０）  米国特許第３，３４０，６４２号明細書
（特許文献４１）  米国特許第３，４８４，６６５号明細書
（特許文献４２）  米国特許第３，５８３，０８７号明細書
（特許文献４３）  米国特許第３，７１７，３４８号明細書
（特許文献４４）  米国特許第３，７７３，０２６号明細書
（特許文献４５）  米国特許第３，８０３，４６３号明細書
（特許文献４６）  米国特許第３，８３１，３０６号明細書
（特許文献４７）  米国特許第３，９２１，６１４号明細書
（特許文献４８）  米国特許第４，０２７，４１８号明細書
（特許文献４９）  米国特許第４，１６６，６１９号明細書
（特許文献５０）  米国特許第４，１９３，３８６号明細書
（特許文献５１）  米国特許第４，２５３，１３２号明細書
（特許文献５２）  米国特許第４，３１８，３８９号明細書
（特許文献５３）  米国特許第４，４６６，４１７号明細書
（特許文献５４）  米国特許第４，５５９，７３７号明細書
（特許文献５５）  米国特許第４，６５６，９４７号明細書
（特許文献５６）  米国特許第４，６６４，０３４号明細書
（特許文献５７）  米国特許第４，７５０，６９２号明細書
（特許文献５８）  米国特許第４，７５２，５３９号明細書
（特許文献５９）  米国特許第４，９１２，８６７号明細書
（特許文献６０）  米国特許第４，９１２，８６９号明細書
（特許文献６１）  米国特許第４，９６２，７４７号明細書
（特許文献６２）  米国特許第５，００３，８８６号明細書
（特許文献６３）  米国特許第５，０７８，１１７号明細書
（特許文献６４）  米国特許第５，１０３，３６６号明細書
（特許文献６５）  米国特許第５，１４５，１８７号明細書
（特許文献６６）  米国特許第５，２７９，４８２号明細書
（特許文献６７）  米国特許第５，３１４，１９６号明細書
（特許文献６８）  米国特許第５，３１５，９３２号明細書
（特許文献６９）  米国特許第５，３２６，１０１号明細書
（特許文献７０）  米国特許第５，３７２，１１８号明細書
（特許文献７１）  米国特許第５，３９６，８３０号明細書
（特許文献７２）  米国特許第５，４６０，１５５号明細書
（特許文献７３）  米国特許第５，５６１，２６３号明細書
（特許文献７４）  米国特許第５，６４９，４６６号明細書
（特許文献７５）  米国特許第５，６５４，８６７号明細書
（特許文献７６）  米国特許第５，６９８，８１５号明細書
（特許文献７７）  米国特許第５，７０６，７９５号明細書
（特許文献７８）  米国特許第５，７５０，９１８号明細書
（特許文献７９）  米国特許第５，７８２，００２号明細書
（特許文献８０）  米国特許第５，７８６，５４６号明細書
（特許文献８１）  米国特許第５，８１４，７５３号明細書
（特許文献８２）  米国特許第５，８３１，１９９号明細書
（特許文献８３）  米国特許第５，８９８，１２５号明細書
（特許文献８４）  米国特許第５，９０４，１３２号明細書
（特許文献８５）  米国特許第５，９４３，８０６号明細書
（特許文献８６）  米国特許第５，９６２，８０６号明細書
（特許文献８７）  米国特許第５，９９６，５０４号明細書
（特許文献８８）  米国特許第６，２８３，０３７号明細書
（特許文献８９）  米国特許第６，３８１，８９４号明細書
（特許文献９０）  米国特許第６，３８２，０７１号明細書
（特許文献９１）  米国特許第６，５４３，１７３号明細書
（特許文献９２）  米国特許第６，５７５，０７３号明細書
（特許文献９３）  米国特許第６，６１５，６２２号明細書
（特許文献９４）  米国特許第６，６３６，４１２号明細書
（特許文献９５）  米国特許第６，７２９，２２２号明細書
（特許文献９６）  米国特許第６，８２０，５６０号明細書
（特許文献９７）  米国特許第６，８８０，４６６号明細書
（特許文献９８）  米国特許第６，８９８，８８７号明細書
（特許文献９９）  米国特許第７，０４２，６９６号明細書
（特許文献１０１）  米国特許第７，０６５，９１５号明細書
（特許文献１０２）  米国特許第７，０７５，７７０号明細書
（特許文献１０３）  米国特許第７，１１４，４５０号明細書
（特許文献１０４）  米国特許第７，１４３，５３９号明細書
（特許文献１０５）  米国特許第７，２１８，５０１号明細書
（特許文献１０６）  米国特許第７，２３７，３５２号明細書
（特許文献１０７）  米国特許第７，３１４，００７号明細書
（特許文献１０８）  米国特許第７，３２７，５４９号明細書
（特許文献１０９）  米国特許第７，４１２，９７５号明細書
（特許文献１１０）  米国特許第７，４４４，９３９号明細書
（特許文献１１１）  米国特許第７，４４４，９４０号明細書
（特許文献１１２）  米国特許第７，６４０，８３９号明細書
（特許文献１１３）  米国特許第７，６４０，８６０号明細書
（特許文献１１４）  米国特許第７，６７３，４１１号明細書
（特許文献１１５）  米国特許第７，６８６，００２号明細書
（特許文献１１６）  米国特許第７，７７８，００５号明細書
（特許文献１１７）  米国特許第７，７９１，８５８号明細書
（特許文献１１８）  米国特許第７，８５６，９２９号明細書
（特許文献１１９）  米国特許第７，８５９，８１８号明細書
（特許文献１２０）  米国特許第７，９００，３８８号明細書
（特許文献１２１）  米国特許第７，９０５，１８０号明細書
（特許文献１２２）  米国特許第７，９５０，１７６号明細書
（特許文献１２３）  米国特許第７，９５０，３２９号明細書
（特許文献１２４）  米国特許第７，９８４，６７６号明細書
（特許文献１２５）  米国特許第８，０１５，９０５号明細書
（特許文献１２６）  米国特許第８，０２４，８８９号明細書
（特許文献１２７）  米国特許第８，０８２，１９９号明細書
（特許文献１２８）  米国特許第８，１４１，４９３号明細書
（特許文献１２９）  米国特許第８，１８６，２７６号明細書
（特許文献１３０）  米国特許第８，２３１，４７４号明細書
（特許文献１３１）  米国特許第８，２４５，６１７号明細書
（特許文献１３２）  米国特許第８，２６１，６６６号明細書
（特許文献１３３）  米国特許第８，２８１，７７６号明細書
（特許文献１３４）  米国特許第８，３３９，７６３号明細書
（特許文献１３５）  米国特許第８，４４１，７７１号明細書
（特許文献１３６）  米国特許第８，５４７，６７９号明細書
（特許文献１３７）  米国特許第８，５６１，５１６号明細書
（特許文献１３８）  米国特許第８，６０１，９２８号明細書
（特許文献１３９）  米国特許第８，６７１，８４１号明細書
（特許文献１４０）  米国特許第８，６７７，６７５号明細書
（特許文献１４１）  米国特許第８，６９５，５７８号明細書
（特許文献１４２）  米国特許第８，７５７，０３９号明細書
（特許文献１４３）  米国特許第８，８５７，３０５号明細書
（特許文献１４４）  米国特許第８，８８１，６５４号明細書
（特許文献１４５）  米国特許第８，８９６，９８２号明細書
（特許文献１４６）  米国特許第８，８９９，１３９号明細書
（特許文献１４７）  米国特許第９，０２５，３０４号明細書
（特許文献１４８）  米国特許第９，１３４，０９９号明細書
（特許文献１４９）  米国特許第９，１５７，６９４号明細書
（特許文献１５０）  米国特許第９，２２０，２４６号明細書
（特許文献１５１）  米国特許第９，２５５，７６５号明細書
（特許文献１５２）  米国特許第９，３０３，９４２号明細書
（特許文献１５３）  米国特許第９，３３５，１１９号明細書
（特許文献１５４）  米国特許第９，４１４，５７８号明細書
（特許文献１５５）  米国特許第９，５８１，４１７号明細書
（特許文献１５６）  米国特許第９，６３８，４９８号明細書
（特許文献１５７）  米国特許第１０，１０７，５９９号明細書
（特許文献１５８）  米国特許出願公開第２００２／０１３４３６５号明細書
（特許文献１５９）  米国特許出願公開第２００２／０１７０４１８号明細書
（特許文献１６０）  米国特許出願公開第２００３／０１０６４１５号明細書
（特許文献１６１）  米国特許出願公開第２００３／０１６５０４１号明細書
（特許文献１６２）  米国特許出願公開第２００３／０１６５０４２号明細書
（特許文献１６３）  米国特許出願公開第２００４／０２４５３３８号明細書
（特許文献１６４）  米国特許出願公開第２００５／０１６６４４１号明細書
（特許文献１６５）  米国特許出願公開第２００６／０１１２５７４号明細書
（特許文献１６６）  米国特許出願公開第２００６／０１２０００９号明細書
（特許文献１６７）  米国特許出願公開第２００６／０２５４１０８号明細書
（特許文献１６８）  米国特許出願公開第２００７／００１９３５８号明細書
（特許文献１６９）  米国特許出願公開第２００７／０１０１８９３号明細書
（特許文献１７０）  米国特許出願公開第２００７／０２６４０７９号明細書
（特許文献１７１）  米国特許出願公開第２００９／００８４２８４号明細書
（特許文献１７２）  米国特許出願公開第２０１０／０１２６４８３号明細書
（特許文献１７３）  米国特許出願公開第２０１０／０３１５７５６号明細書
（特許文献１７４）  米国特許出願公開第２０１１／０００５３７３号明細書
（特許文献１７５）  米国特許出願公開第２０１１／０２７１８２５号明細書
（特許文献１７６）  米国特許出願公開第２０１２／００１９９７５号明細書
（特許文献１７７）  米国特許出願公開第２０１２／０２１０９０４号明細書
（特許文献１７８）  米国特許出願公開第２０１４／０３３１９８４号明細書
（特許文献１７９）  米国特許出願公開第２０１４／０３３４０５８号明細書
（特許文献１８０）  米国特許出願公開第２０１５／００７５０７３号明細書
（特許文献１８１）  米国特許出願公開第２０１５／０１６８１０７号明細書
（特許文献１８２）  米国特許出願公開第２０１５／０２４１１８０号明細書
（特許文献１８３）  米国特許出願公開第２０１５／０２７６３５１号明細書
（特許文献１８４）  米国特許出願公開第２０１５／０３１６３４５号明細書
（特許文献１８５）  米国特許出願公開第２０１６／００１０９４９号明細書
（特許文献１８６）  米国特許出願公開第２０１６／０１６１２２５号明細書
（特許文献１８７）  米国特許出願公開第２０１６／０２３８３５０号明細書
（特許文献１８８）  米国特許出願公開第２０１７／００２９８１６号明細書
（特許文献１８９）  米国特許出願公開第２０１７／０１６００６０号明細書
（特許文献１９０）  米国特許出願公開第２０１７／０２４１７５１号明細書
（特許文献１９１）  米国特許出願公開第２０１７／０２７６４６１号明細書
（特許文献１９２）  米国特許出願公開第２０１８／０００３４６２号明細書
（特許文献１９３）  米国特許出願公開第２０１８／０２９２１７２号明細書
（特許文献１９４）  カナダ国特許出願公開第２１６２２２１号明細書
（特許文献１９５）  独国特許出願公開第３５２２６６１号明細書  
（特許文献１９６）  特開２０１１−１０６７４８号公報
（非特許文献）
（非特許文献１）  ＰＣＴ  Ａｐｐｌｉｃａｔｉｏｎ  Ｎｏ．  ＰＣＴ／ＵＳ１８／５６０６８；  Ｆｉｌｉｎｇ  Ｄａｔｅ  Ｏｃｔｏｂｅｒ  １６，  ２０１８；  Ｅｌｗｏｏｄ  Ｎｏｒｒｉｓ，  Ｉｎｔｅｒｎａｔｉｏｎａｌ  Ｓｅａｒｃｈ  Ｒｅｐｏｒｔ；  Ｍａｉｌｉｎｇ  Ｄａｔｅ  Ｊａｎｕａｒｙ  １５，  ２０１９；  １１  Ｐａｇｅｓ．